(57)【特許請求の範囲】
【請求項１】
仮設足場を建物の躯体に着脱可能に取り付けるための金具であって、足場板を支持する支柱を保持するための鋼製のパイプからなる本体部と、該本体部を建物の軸組の下端部および基礎に取り付けるための取付片と、を備えることを特徴とする仮設足場の取付金具。
【請求項２】
前記本体部を建物の基礎に取り付けるための取付片が、前記取付金具を基礎に固定するとともに足場板に作業者が載ったときに前記取付金具の下端側にかかる水平荷重を受けるものであって、該基礎の外側面に当接する係止片を備えることを特徴とする請求項１記載の仮設足場の取付金具。
【請求項３】
請求項１乃至２に記載の取付金具と、該取付金具の本体部の略中間部に取付けられたクランプと該クランプに取付けられたブラケットと、該ブラケットに支持されたプレートと、を備えることを特徴とする建築構成材の仮置架台。
【発明の詳細な説明】
【０００１】
【発明の属する技術分野】
この発明は、建物の建設現場において、仮設足場を建物の躯体に取り付けるための金具、ならびに外壁パネル等の建築構成材を仮置するための架台に関する。
【０００２】
【従来の技術・発明が解決しようとする課題】
従来、軒裏部および軒先部の工事やシャッタボックスの取付等の簡易な高所作業を行うための仮設足場として、例えば図４に示すように、建物の軸組の適宜箇所に複数のブラケット３０を取り付け、該ブラケット３０に足場板４０を支持してなる仮設足場Ｆ１０が用いられている。
【０００３】
上記のような仮設足場Ｆ１０を用いた場合、建物の目地工事等を行う際には、該仮設足場Ｆ１０を取り外さなければならず、このため作業が面倒となるという問題があった。
【０００４】
一方、例えば図５に示すように、複数の脚立５０に足場板４０を架け渡して仮設足場Ｆ１００とすることも行われている。このような仮設足場Ｆ１００によれば、該足場Ｆ１００の設置および撤去がより簡易に行えるが、地上の不陸等により不安定となりやすいため安全性に問題があり、また、建物の周囲に十分なスペースがない場合には設置することが困難である。
【０００５】
また一方で、地上に足場専用の枠を組んで安定な仮設足場を設置することも考えられるが、これによれば、前記仮設足場Ｆ１００と同様にスペース上の問題がある上、特に大がかりな高所作業を必要とする場合でない限り、コストが必要以上に高くつくことにもなる。
【０００６】
この発明は、上記の点に鑑み、手間を要することなく簡易かつ安価に設置することができ、かつ狭いスペースでも設置できるとともに、安定して設けることができて十分な安全性を有する仮設足場の取付金具を提供することを目的とする。
【０００７】
また、この発明は、簡易かつ安価に設置することができ、外壁パネル等の建築構成材を仮置するのに有用な架台を提供することを目的とする。
【０００８】
【課題を解決するための手段】
上記目的を達成するためになされたこの発明の請求項１に記載の仮設足場の取付金具は、仮設足場を建物の躯体に着脱可能に取り付けるための金具であって、足場板を支持する支柱を保持するための鋼製のパイプからなる本体部と、該本体部を建物の軸組の下端部および基礎に取り付けるための取付片と、を備えることを特徴とするものである。
【０００９】
また、この発明の請求項２に記載の仮設足場の取付金具は、前記本体部を建物の基礎に取り付けるための取付片が、前記取付金具を基礎に固定するとともに足場板に作業者が載ったときに前記取付金具の下端側にかかる水平荷重を受けるものであって、該基礎の外側面に当接する係止片を備えることを特徴とするものである。
【００１０】
また、この発明の請求項３に記載の建築構成材の仮置架台は、請求項１乃至２に記載の取付金具と、該取付金具の本体部の略中間部に取付けられたクランプと該クランプに取付けられたブラケットと、該ブラケットに支持されたプレートと、を備えることを特徴とするものである。
【００１１】
【発明の実施の形態】
以下、本発明の一実施形態を具体的に説明する。図１には、本発明の仮設足場の取付金具の一例が示されている。図１に示す取付金具１は、本体部１１と上下の取付片１２Ｔ、１２Ｂとを備える構成となっている。
【００１２】
本体部１１は、鋼製のパイプよりなり、図１に示すように、足場板４を支持する支柱２の下端部が内部に挿入され、該本体部１１の正面（建物と反対側の面）における上端部近傍の部位１１Ｔおよび下端部近傍の部位１１Ｂにおいてそれぞれ止めねじにより固定されるようになっている。これにより、該支柱２が垂直状態に保持される。
【００１３】
支柱２は、該支柱２の所定高さの位置に取り付けられたブラケット３を介して、足場板４を支持するようになっている。ブラケット３は、足場板４が載置される水平部３１と、方杖３２とを有し、水平部３１の両端には、下方へ突出する鉤部３１１がそれぞれ設けられている。支柱２には、所定高さの位置にポケット部２１が設けられており、該ポケット部２１に前記ブラケット３の一方端の鉤部３１１が挿入され係止される。ブラケット３の他端には、方杖３２の上端が固着されており、該方杖３２の下端は、上記支柱２のポケット部２１の下方に当接し、これにより、足場板４の荷重を受けるようになっている。支柱２のポケット部２１は、複数の高さの位置に段階的に設けられており、ブラケット３の取付位置を段階的に変更することができるようになっている。また、ポケット部２１は、それぞれ前後左右の４方向に突出するように設けられているので、ブラケット３の方向を前後左右に変更することができ、したがって例えば建物の出隅部、入隅部等にも容易に対応することができる。
【００１４】
上下の取付片１２Ｔ、１２Ｂは、鋼製のプレートであり、本体部１１の背面（建物に対向する面）における上端部近傍の部位および下端部近傍の部位において、該本体部１１に対し垂直となるようにして、それぞれ溶接により接合されている。該取付片１２Ｔ、１２Ｂの自由端側は、固定端側よりも幅広に形成され、該取付片１２Ｔ、１２Ｂの全体としては略Ｔ字形状となっている。該取付片１２Ｔ、１２Ｂの自由端側には、幅方向に並ぶ２箇所にボルト挿通孔が設けられている。下側の取付片１２Ｂの下面には、鋼製のプレートよりなる係止片１２１Ｂが下方へ突設されている。
【００１５】
上側の取付片１２Ｔの自由端側は、Ｈ形鋼よりなる建物の床梁５の下側フランジ５Ｂの上面に重合され、ボルトおよびナットにより締結されている。下側の取付片１２Ｂの自由端側に設けられたボルト挿通孔には、建物の基礎６のアンカーボルト６１が挿通され、ナットで締結されている。このとき、下側の取付片１２Ｂの係止片１２１Ｂは基礎６の外側面に当接しており、これにより、足場板４に作業者が載ったときに取付金具１の下端側にかかる水平荷重を受けるようになっている。
【００１６】
図１では、１箇所における取付金具１およびその取付構造が示されているが、建物の周囲には、上記と同様にして、適宜間隔をおいて取付金具１が取り付けられる。
【００１７】
上記の取付構造により、本体部１１が建物の軸組の下端部（床梁５）および基礎６に安定に取り付けられている。なおここに示す例では、はじめに建物の上階部分を地上で構築した後、該上階部分を油圧式ジャッキにより引き揚げ、その下に下階部分を構築するようにして、２階建の住宅を建設するようにしている。このため、図１に示すように、上階部分の床梁５の下面と基礎６の上面との間には、スペーサＰ、束（図示せず）等により予め数十cmの間隙ｓが形成されており、これにより油圧式ジャッキ等の機材の搬入や作業者の出入り等を行うようになっている。したがって、取付金具１の上下の取付片１２Ｔ、１２Ｂの間隔は、上記間隙ｓに略等しくなるように設定される。
【００１８】
上記取付金具１によれば、建物の軸組の下端部および基礎６に取り付けるようにしているため、建物の目地工事等を行う際にも、仮設足場を取り外す必要がなく、したがって手間がかからない。また、取付構造が簡易であるため、足場の設置および撤去を容易に行うことができる。
【００１９】
さらにまた、地上の不陸等に関わらず常に安定な状態に取り付けることができるため、安全である。また、取り付けに多くのスペースを要しないため、建物の周囲に十分なスペースがない場合でも容易に設置することができる。
【００２０】
さらにまた、上記したように取付が容易である上、部品点数も少なくてすむため、作業工程が簡略で、コストが高くつくこともない。
【００２１】
本発明においては、上記実施形態に示した取付金具１以外にも、種々の変更を加えたものも可能である。例えば、本体部を入れ子構造等により伸縮可能に構成して、上下の取付片の間隔を調整可能とし、これによりサイズの異なる取付部位に対応できるようにしてもよい。
【００２２】
本発明の取付金具は、仮設足場の取付以外の用途に用いることもできる。図２には、本発明の取付金具を用いてなる建築構成材の仮置架台の一例が示されている。
【００２３】
図２に示す建築構成材の仮置架台７は、取付金具１と、ブラケット３Ａと、プレート８とで構成されている。取付金具１およびその取付構造は、前記図１に示すものと同様であり、ブラケット３Ａも前記図１に示すブラケット３と基本的に同様である。
【００２４】
ブラケット３Ａは、図２に示すように、クランプ１３により、取付金具１の本体部１１のほぼ中間部に取り付けられている。クランプ１３はポケット部１３１を有し、該ポケット部１３１にブラケット３Ａの鉤部３１１Ａが挿入され係止されるようになっている。ブラケット３Ａの方杖３２Ａの下端は、取付金具１の本体部１１における上記ポケット部１３１の下方に当接する。
【００２５】
ブラケット３Ａおよびその隣に設けられた別のブラケット（図示せず）の上には、プレート８が水平に載置され支持される。プレート８としては、外壁パネル等の建築構成材を仮置しておける程度の強度を有するものであれば、任意のプレート材やパネル材を用いることができるが、例えば前記仮設足場用の足場板４をそのまま用いるようにしてもよい。
【００２６】
上記仮置架台７を用いる際には、例えば図３に示すように、外壁パネル９の下端を該仮置架台７上に載置し、上端を建物Ｃの軸組にもたせかけるようにすることにより、該外壁パネル９を取付位置の前に仮置しておくことができる。これにより、外壁パネル９を建物の軸組に取り付ける作業が行いやすくなる。また、上記仮置架台７は、前記仮設足場により高所作業を行うために建物Ｃの床梁５および基礎６に取り付けておいた取付金具１をそのまま用いて組み立てることができる。換言すれば、該取付金具１は、建物Ｃの軸組および基礎６に取り付けた状態で、仮設足場と仮置架台とに共用することができる。
【００２７】
なお、上記仮置架台７には、外壁パネル９以外にも、任意の建築構成材を載置しておくことができる。
【００２８】
上記仮置架台７は、構造が簡易で容易に組み立てることができる上、前記したように仮設足場用に取り付けておいた取付金具１をそのまま用いて組み立てることができるため、容易かつ安価に設置することができる。
【００２９】
【発明の効果】
以上のように、この発明の請求項１乃至２に記載の仮設足場の取付金具によれば、取付片により本体部を建物の軸組の下端部および基礎に取り付け、該本体部に、足場板を支持する支柱を保持させるようにしたので、建物の仕上工事を行う際にも仮設足場を取り外す必要がなく、したがって手間がかからない。また、取付構造が簡易であるため、足場の設置および撤去を容易に行うことができる。
【００３０】
さらにまた、地上の状態に関わらず常に安定な状態に取り付けることができるため安全である。また、取り付けに多くのスペースを要しないため、狭小なスペースでも容易に設置することができる。
【００３１】
さらにまた、取付が容易である上、部品点数も少なくてすむため、コストが高くつくこともない。
【００３２】
さらに加えて、この発明の請求項２に記載の仮設足場の取付金具によれば、前記本体部を建物の基礎に取り付けるための取付片に係止片を設け、該係止片を基礎の外側面に当接させるようにしたので、足場板に作業者が載ったときに取付金具の下端側にかかる水平荷重を受けることができ、したがって仮設足場をより安定に設けることができる。
【００３３】
また、この発明の請求項３に記載の建築構成材の仮置架台によれば、前記請求項１乃至２に記載の取付金具の本体部にブラケットを取り付け、該ブラケットにプレートを支持させるようにしたので、構造が簡易で容易に組み立てることができる上、仮設足場用に取り付けておいた取付金具をそのまま用いて組み立てることができるため、容易かつ安価に設置することができる。
【図面の簡単な説明】
【図１】実施形態に係る仮設足場の取付金具およびその取付構造を示す分解斜視図。
【図２】実施形態に係る建築構成材の仮置架台およびその取付構造を示す分解斜視図。
【図３】図２の建築構成材の仮置架台の使用例を示す斜視図。
【図４】従来の仮設足場の一例を示す斜視図。
【図５】従来の仮設足場の他の例を示す正面図。
【符号の説明】
１  取付金具
１１  本体部
１２Ｔ、１２Ｂ  取付片
２  支柱
４  足場板
５  床梁（軸組の下端部）
６  基礎
Ｓ  建物
【図１】
0003706460.tif 000002
【図２】
0003706460.tif 000003
【図３】
0003706460.tif 000004
【図４】
0003706460.tif 000005
【図５】
0003706460.tif 000006